(57)【要約】    【課題】  照明器具を点滅操作するための壁スイッチを用いて照明器具個別のアドレス設定およびグループ設定を行えるようにした照明制御システムを提供する。    【解決手段】  照明制御システムは、照明主操作盤２からアドレス設定開始信号を通信ネットワーク１に送出したときに制御端末器３が自己の識別子を送出する第１のステップと、任意の壁スイッチ４を操作するたびに照明主操作盤で収集した識別子のうち、一つの識別子に対し照明主操作盤から点灯制御信号を送出する第２のステップと、所望の照明器具６が点灯したときにアドレス設定済みの所望の壁スイッチを所定操作することにより、当該壁スイッチのアドレスと点灯した照明器具とを対応付けて制御端末器に記憶される第３のステップとを含んでいて照明器具の個別アドレス設定が行われる。【選択図】図２
2008235127.tif 000002
【特許請求の範囲】
【請求項１】
固有の識別子が付与されている制御端末器と、それぞれ制御端末器を経由して制御される複数の照明器具と、少なくとも壁スイッチを含む監視端末器と、複数の照明器具を一括して制御、監視および管理できる照明主操作盤と、制御端末器、照明器具、監視端末器および照明主操作盤の間を信号の送受可能に接続する通信ネットワークとを具備し；
照明主操作盤からアドレス設定開始信号を通信ネットワークに送出したときに制御端末器が自己の識別子を送出する第１のステップと；
任意の壁スイッチを操作するたびに照明主操作盤で収集した識別子のうち、一つの識別子に対し照明主操作盤から点灯制御信号を送出する第２のステップと；
所望の照明器具が点灯したときにアドレス設定済みの所望の壁スイッチを所定操作することにより、当該壁スイッチのアドレスと点灯した照明器具のアドレスとを対応させて制御端末器に記憶される第３のステップと；
を含んでいて照明器具の個別アドレス設定が行われることを特徴とする照明制御システム。
【請求項２】
固有の識別子が付与されている制御端末器と、それぞれ制御端末器を経由して制御される複数の照明器具と、少なくとも壁スイッチを含む監視端末器と、複数の照明器具を一括して制御、監視および管理できる照明主操作盤と、制御端末器、照明器具、監視端末器および照明主操作盤の間を通信可能に接続する通信ネットワークとを具備し；
照明主操作盤からグループ設定開始信号を通信ネットワークに送出する第１のステップと；
所望の壁スイッチを操作するごとに照明主操作盤から固有の識別子を指定して制御端末器に点灯制御信号を送出して対応する照明器具を点灯させる第２のステップと；
所望の照明器具が点灯したときに所望の壁スイッチを所定操作することにより、点灯中の照明器具の識別子とグループ識別子とが対応付けされて制御端末器に記憶される第３のステップと；
を含んでいてグループ設定が行われることを特徴とする照明制御システム。
【発明の詳細な説明】
【技術分野】
【０００１】
本発明は、複数の照明器具を一括して制御、監視および管理できる照明制御システムに関する。
【背景技術】
【０００２】
照明制御システムにおいて、複数の照明器具のグループ設定・パターン設定をリモコンのような設定器を用いて設定できるようにしたものは、既知である（例えば、特許文献１参照。）。
【０００３】
特許文献１に記載された照明制御システムは、制御ユニットのアドレス情報を設定器が受信して記憶するとともに表示部に表示し、表示されるアドレス情報を基にユーザーが制御ユニットにグループ設定、パターン設定を行う。
【０００４】
【特許文献１】特開２００６−０９２９１７号公報
【発明の開示】
【発明が解決しようとする課題】
【０００５】
従来の照明制御システムでは、アドレス設定やグループ設定を行うのにリモコンなどの設定器を用いる必要があった。また、制御端末器に直接アドレスを設定することも行われている。しかしながら、制御端末器は、天井裏や高所に設置されたり、天井裏に設置された照明器具の内部に配置されたりするので、設置後に制御端末器に直接アドレスを設定するのは困難である。
【０００６】
本発明は、照明器具を点滅操作するための壁スイッチを用いて照明器具個別のアドレス設定およびグループ設定を行えるようにした照明制御システムを提供することを目的とする。
【課題を解決するための手段】
【０００７】
第１の発明の照明制御システムは、固有の識別子が付与されている制御端末器と、それぞれ制御端末器を経由して制御される複数の照明器具と、少なくとも壁スイッチを含む監視端末器と、複数の照明器具を一括して制御、監視および管理できる照明主操作盤と、制御端末器、照明器具、監視端末器および照明主操作盤の間を信号の送受可能に接続する通信ネットワークとを具備し；照明主操作盤からアドレス設定開始信号を通信ネットワークに送出したときに制御端末器が自己の識別子を送出する第１のステップと；任意の壁スイッチを操作するたびに照明主操作盤で収集した識別子のうち、一つの識別子に対し照明主操作盤から点灯制御信号を送出する第２のステップと；所望の照明器具が点灯したときにアドレス設定済みの所望の壁スイッチを所定操作することにより、当該壁スイッチのアドレスと点灯した照明器具のアドレスとを対応させて制御端末器に記憶される第３のステップと；を含んでいて照明器具の個別アドレス設定が行われることを特徴としている。
【０００８】
本発明は、以下の態様を許容する。
【０００９】
制御端末器は、照明器具と別に配設されている態様および照明器具内に制御端末機能が配設されている態様のいずれであってもよい。固有の識別子は、番号またはその他の符号などで構成されていてもよく、例えば製造時に設定される。なお、固有の識別子は、制御端末器の不揮発性メモリなどに記憶させておくことができる。
【００１０】
また、制御端末器は、照明器具と１対１に対応するだけでなく、所望により複数、例えば４台の照明器具に対して１つの制御端末器が対応するように構成することができる。この場合、制御端末器には、各照明器具を個別に制御することができるように複数の識別子を設定しておくとともに、個別制御のポートを備えている。
【００１１】
監視端末器は、少なくとも壁スイッチを含むものとし、その他に人感センサ、明かりセンサなどを含むことができる。壁スイッチは、照明器具の点滅などを操作する端末器であり、照明主操作盤に対してそのアドレスが登録される。
【００１２】
また、本発明において、壁スイッチは、照明器具の点滅を操作するだけでなく、所望の照明器具と壁スイッチのアドレスを対応付けて設定したり、照明器具のグループを設定したりする際に所定の操作を行うことにより機能させることができる。
【００１３】
照明主操作盤は、複数の照明器具を一括して制御、監視および管理できるように配設され、照明器具とは遠隔した位置に設置することができる。
【００１４】
照明器具は、その光源を制御可能であればどのようなものでもよいし、またその形態は特段限定されない。例えば、天井取付け形であっても、埋込形、直付け形、吊下げ形などでもよい。また、例えば壁面取付け形などであってもよい。
【００１５】
通信ネットワークは、有線および無線のいずれであってもよい。
【００１６】
第１のステップは、アドレス設定信号を照明主操作盤からネットワークに送出するステップであり、照明主操作盤を直接操作してアドレス設定信号を送出させるだけでなく、通信ネットワークを経由してアドレス設定信号の送出要求を行えるように構成することができる。この場合、壁スイッチを通常の操作でない、予め定めた特別な操作を行ったときにアドレス設定信号の送出要求信号が照明主操作盤に対して送出されるように構成することができる。また、例えば、リモコンなどの専用の端末器を配設してアドレス設定信号の送出要求を行うようにしてもよい。
【００１７】
第２のステップは、任意の壁スイッチを操作するたびに照明主操作盤で収集した識別子のうち、一つの識別子に対して照明主操作盤から点灯制御信号を送出するステップである。この場合、照明主操作盤においては、予め主操作盤で収集して作成したリストデータに基づいて壁スイッチを操作するたびに順次各識別子に点灯制御信号を送出する。なお、点灯制御信号は、照明器具を点灯させる制御信号である。
【００１８】
複数の照明器具が１つの制御端末器に接続する構成において、制御端末器は、各照明器具に対応する識別子を有しているので、複数の識別子宛の点灯制御信号を受信して各照明器具を個別に点灯させる。第２のステップにおける壁スイッチの操作は、照明器具を点滅する際の通常の操作とすることができる。
【００１９】
第３のステップは、照明器具が点灯したときに、アドレス設定済みの所望の壁スイッチを所定操作することにより、当該壁スイッチに設定したアドレスと照明器具のアドレスとを対応させるステップである。例えば、壁スイッチのアドレスを上記照明器具のアドレスとして制御端末器に記憶させるステップである。なお、アドレス設定済みの所望の壁スイッチは、一般的には第２のステップにおける任意の壁スイッチと同一であるが、所望により異なる壁スイッチでもよいように構成することもできる。
【００２０】
また、壁スイッチの所定操作は、通常の操作とは異なる態様の操作である。そして、その操作態様は、これを予め定めておくとともに、照明主操作盤側においても当該操作態様の際に送信される信号を受信して識別できるように設定しておくものとする。この場合の操作態様としては、例えば壁スイッチを通常より長押しするなどの操作とすることができる。
【００２１】
第２の発明の照明制御システムは、固有の識別子が付与されている制御端末器と、それぞれ制御端末器を経由して制御される複数の照明器具と、少なくとも壁スイッチを含む監視端末器と、複数の照明器具を一括して制御、監視および管理できる照明主操作盤と、制御端末器、照明器具、監視端末器および照明主操作盤の間を通信可能に接続する通信ネットワークとを具備し；照明主操作盤からグループ設定開始信号を通信ネットワークに送出する第１のステップと；所望の壁スイッチを操作するごとに照明主操作盤から固有の識別子を指定して制御端末器に点灯制御信号を送出して対応する照明器具を点灯させる第２のステップと；所望の照明器具が点灯したときに所望の壁スイッチを所定操作することにより、点灯中の照明器具の識別子とグループ識別子とが対応付されて制御端末器に記憶される第３のステップと；を含んでいてグループ設定が行われることを特徴としている。
【００２２】
グループの設定は、照明器具をグルーピングして用途に合わせて所要の照明を行うことができるようにするためである。
【発明の効果】
【００２３】
第１の発明によれば、アドレス設定済みの壁スイッチを所定操作することで当該壁スイッチに設定したアドレスと所望の照明器具のアドレスとを対応付けて制御端末器に記憶させることができるので、照明器具の個別アドレス設定の操作が容易な照明制御システムを提供することができる。
【００２４】
第２の発明によれば、所望の壁スイッチを操作することで照明器具のグループを設定するので、照明器具のグループ設定の操作が容易な照明制御システムを提供することができる。
【発明を実施するための最良の形態】
【００２５】
以下、図面を参照して本発明を実施するための形態を説明する。
【００２６】
図１は、本発明の照明制御システムを実施するための第１の形態を示すシステム図である。図において、通信ネットワークとしての信号線１に照明主操作盤２、複数の制御端末器３、壁スイッチ４、センサ５が接続している。また、制御端末器３には、対応する照明器具６が接続している。なお、壁スイッチ４およびセンサ５は、監視端末器である。センサ５は、人感スイッチや光センサなどである。
【００２７】
図２および図３は、本発明の照明制御システムを実施するため第１の形態におけるアドレス設定時の流れ図およびタイムチャートである。
【００２８】
すなわち、まず、照明主操作盤２を個別アドレス設定モードに切り換え得ると、照明主操作盤２からアドレス設定信号が通信ネットワーク１に送出されて個別アドレス設定モードが開始する。
【００２９】
制御端末器が照明器具と別個に設置されるか、照明器具内に制御端末器が組み込まれることによって制御端末機能を有する照明器具側において、アドレス設定開始信号を受信すると、照明器具６に対応する個別識別子を制御端末器３から通信ネットワーク１に送出する。
【００３０】
照明主操作盤２は、通信ネットワーク１に接続する複数の制御端末器３を経由して複数の照明器具６の識別子、例えば識別番号を収集し、識別番号リストのデータを作成する。
【００３１】
所望の壁スイッチ４を操作すると、点灯要求信号が照明主操作盤２に送出される。そこで、照明主操作盤２は、壁スイッチ４が操作されるたびに、リスト順に各照明器具６に対する点灯信号を送出する。制御端末器３が点灯信号を受信すると、対応する照明器具６を点灯させる。
【００３２】
所望の照明器具６が点灯したとき、アドレス設定済みの壁スイッチ４を所定操作、例えば長押し（約３秒間）すると、照明主操作盤２を経由して当該壁スイッチ４のアドレスに対応したアドレスが点灯した照明器具６のアドレスとして制御端末器３に記憶され、個別アドレスが設定され、次のリスト順の照明器具６が点灯する。以後、同様のアドレス設定が行われる。
【００３３】
そうして、照明制御システムは、個別アドレス設定により照明器具６を壁スイッチ４の操作で個別に制御することが可能になる。
【００３４】
図４および図５は、本発明の照明制御システムを実施するため第２の形態におけるグループ設定時の流れ図およびタイムチャートである。
【００３５】
すなわち、まず、照明主操作盤２をグループ設定モードに切り換える。照明主操作盤２は、グループ設定信号を通信ネットワーク１に送出して照明制御システム全体をグループ設定モードに切り換える。
【００３６】
次に、所望の壁スイッチ４を操作すると、点灯要求信号が照明主操作盤２に送出される。そこで、照明主操作盤２は、例えば前記リスト順に各照明器具６に対する点灯信号を送出する。
【００３７】
該当するアドレスの制御端末器３が点灯信号を受信すると、対応する照明器具６を点灯させる。そうして、壁スイッチ４を操作するたびに点灯要求信号が送出され、都度、照明主操作盤２は、照明器具ごとに順次点灯信号を送出する。
【００３８】
所望の照明器具６が点灯したときに、壁スイッチ４を所定操作、例えば長押し（約３秒間）すると、照明主操作盤２を経由して当該壁スイッチ４のグループ識別子、例えばグループ番号が、点灯した照明器具６のグループ識別子として制御端末器３に記憶され、グループが設定される。
【００３９】
そうして、照明制御システムは、グループ設定により照明器具を壁スイッチの操作でグループ設定を行うことが可能になる。
【００４０】
なお、照明制御システムは、これをパターン制御、多箇所制御、ワイヤレス制御、一時点灯制御および消灯遅延制御などの各種制御のいずれか一または複数を所望に応じて選択的に行えるように構成することができる。
【図面の簡単な説明】
【００４１】
【図１】本発明の照明制御システムを実施するための一形態を示すシステム図
【図２】同じくアドレス設定時の流れ図
【図３】同じくタイムチャート
【図４】本発明の照明制御システムを実施するため第２の形態におけるグループ設定時の流れ図
【図５】同じくタイムチャート
【符号の説明】
【００４２】
１…通信ネットワーク、２…照明主操作盤、３…制御端末器、４…壁スイッチ、５…センサ、６…照明器具
【図１】
2008235127.tif 000003
【図２】
2008235127.tif 000004
【図３】
2008235127.tif 000005
【図４】
2008235127.tif 000006
【図５】
2008235127.tif 000007